(57)【特許請求の範囲】
【請求項１】
主ロープを介して連結された釣瓶式に昇降する乗りかごと釣合い重りとの間に前記主ロープとの均衡を保つように垂れ下げられたコンペンロープの下部の折り返し部が巻き掛けられ、昇降路の床面に立設されたガイドレールに沿って上下移動可能に設置されたコンペンシーブと、
前記コンペンシーブを回転自在に支持し、前記コンペンシーブとともに前記ガイドレールに沿って上下移動する支持枠と、
前記支持枠に固定されて前記コンペンシーブ及び前記支持枠の上下移動を前記ガイドレールに沿って案内するガイドと、
前記ガイドの下方に設置され、前記ガイドレールに摺接して前記コンペンシーブの上昇による力を受けて前記コンペンシーブの上昇を抑制するように動作するロックダウン装置と、
前記ロックダウン装置と前記ガイドとを連結する連結装置と、
を有し、
前記連結装置は、
前記ガイドの上部に設置される第１の固定部材と、
前記ロックダウン装置に固定される第２の固定部材と、
前記第１の固定部材と前記第２の固定部材とに固定されて前記第１の固定部材と前記第２の固定部材とを連結する連結部材と、
を有し、前記第１の固定部材と前記第２の固定部材と前記連結部材とによって前記ロックダウン装置を前記ガイドに連結し、前記コンペンシーブ及び前記支持枠の上昇に伴って前記ロックダウン装置を上昇させる、
ことを特徴とするエレベータのコンペン装置。
【請求項２】
主ロープを介して連結された釣瓶式に昇降する乗りかごと釣合い重りとの間に前記主ロープとの均衡を保つように垂れ下げられたコンペンロープの下部の折り返し部が巻き掛けられ、昇降路の床面に立設されたガイドレールに沿って上下移動可能に設置されたコンペンシーブと、
前記コンペンシーブを回転自在に支持し、前記コンペンシーブとともに前記ガイドレールに沿って上下移動する支持枠と、
前記支持枠に固定されて前記コンペンシーブ及び前記支持枠の上下移動を前記ガイドレールに沿って案内するガイドと、
前記ガイドの下方に設置され、前記ガイドレールに摺接して前記コンペンシーブの上昇による力を受けて前記コンペンシーブの上昇を抑制するように動作するロックダウン装置と、
を有するエレベータのコンペン装置に取り付けられて前記ガイドと前記ロックダウン装置とを連結するための連結装置であって、
前記ガイドの上部に設置される第１の固定部材と、
前記ロックダウン装置に固定される第２の固定部材と、
前記第１の固定部材と前記第２の固定部材とに固定されて前記第１の固定部材と前記第２の固定部材とを連結する連結部材と、
を有し、前記第１の固定部材と前記第２の固定部材と前記連結部材とによって前記ロックダウン装置を前記ガイドに連結し、前記コンペンシーブ及び前記支持枠の上昇に伴って前記ロックダウン装置を上昇させる、
ことを特徴とする連結装置。
【発明の詳細な説明】
【技術分野】
【０００１】
本発明は、乗りかごと釣合い重りとが主ロープによって連結されて昇降するエレベータに設けられ、乗りかご及び釣合い重りの跳ね上がりを抑制するコンペン装置に関する。また、本発明は、コンペン装置に取り付けられる連結装置に関する。
【背景技術】
【０００２】
図６に、一般的な釣瓶式のエレベータを示す。図６は、従来技術に係るエレベータの全体構成を示す概略図である。一般的な釣瓶式のエレベータにおいては、主ロープ１０３の一端に乗りかご１０１が連結され、主ロープ１０３の他端に釣合い重り１０２が連結されている。このように、乗りかご１０１と釣合い重り１０２とが主ロープ１０３を介して連結され、巻上機１０４の駆動により昇降路内を相対的に昇降する。また、乗りかご１０１が昇降すると、巻上機１０４の乗りかご１０１側と釣合い重り１０２側との間で主ロープ１０３が行き来し、主ロープ１０３の重量の移動が生じる。移動した主ロープ１０３の重量分を補って不釣合を解消するために、一端が乗りかご１０１に連結され、他端が釣合い重り１０２に連結されて下方に垂れるコンペンロープ１０５が設けられている。このように、乗りかご１０１と釣合い重り１０２との間にコンペンロープ１０５を設けることで、重量の均衡を保っている。
【０００３】
また、昇降路内の床面に立設して固定されたガイドレール１３０を介してコンペン装置１０６が設けられている。コンペン装置１０６は、乗りかご１０１又は釣合い重り１０２が非常停止等によって急停止した際に、上昇中の乗りかご１０１又は釣合い重り１０２が慣性によって跳ね上がることを防止するための装置である。コンペンロープ１０５の下端の折り返し部は、コンペン装置１０６に設けられたコンペンシーブ１０７に巻き掛けられ、コンペンシーブ１０７により所定の張力が付与される。コンペン装置１０６は、ガイドレール１３０に沿って上下移動自在に案内される。
【０００４】
図７にコンペン装置１０６を示す。図７は、従来技術に係るコンペン装置を示す正面図である。コンペンシーブ１０７を回転自在に支持する支持枠１０８には、左右一対のクワエ金具１０９が設けられている。左右それぞれのクワエ金具１０９の斜面部とガイドレール１３０との間には喰い込みローラ１１０（コロ）がそれぞれ配置されている。各喰い込みローラ１１０は、支持バー１１１の下端部によってそれぞれ支持されている。各支持バー１１１の上端部は、ガイドレール１３０の左右に摺接する一対の摩擦片１１３に連結されている。両摩擦片１１３のそれぞれは、ばね１１４によってガイドレール１３０に押し付けられている。左右の摩擦片１１３と左右のばね１１４とによってロックダウン装置１１２が構成されている。また、支持枠１０８の上部及び下部のそれぞれには、コンペン装置１０６の上下移動をガイドレール１３０に沿って案内するガイド１１５が固定されている。
【０００５】
そして、乗りかご１０１又は釣合い重り１０２の跳ね上がりによりコンペンシーブ１０７が引き上げられると、左右の摩擦片１１３のガイドレール１３０に対する摩擦力によって、支持バー１１１を介して左右の喰い込みローラ１１０を左右のクワエ金具１０９とガイドレール１３０との間にそれぞれ喰い込ませ、コンペンシーブ１０７の上昇を止めることで、乗りかご１０１又は釣合い重り１０２の跳ね上がりを抑制する。
【０００６】
また、特許文献１には、乗りかご又は釣合い重りの跳ね上がり時に、揺動ストッパがガイドレールの凹凸部に係止してコンペン装置の上昇を抑制する装置が開示されている。
【０００７】
また、特許文献２には、ロックダウン装置の動作を検出してエレベータの停止信号を出力するスイッチをワイヤで操作することで、スイッチを復帰させて停止信号の出力を解除する装置が開示されている。
【先行技術文献】
【特許文献】
【０００８】
【特許文献１】特開昭６１−２１１２８６号公報
【特許文献２】特開２００６−１１７３５２号公報
【発明の概要】
【発明が解決しようとする課題】
【０００９】
ところで、経時変化によって主ロープ１０３又はコンペンロープ１０５が伸びた場合、コンペン装置１０６が昇降路内の床面に着いてしまい、コンペンロープ１０５に張力を付与することができなくなることがある。この場合、コンペンロープ１０５や主ロープ１０３を締めることでコンペン装置１０６を上昇させてコンペンロープ１０５に張力を付与している。
【００１０】
コンペンロープ１０５や主ロープ１０３を締めてコンペン装置１０６を上昇させた場合、上述したように、コンペンシーブ１０７の上昇に伴って左右の喰い込みローラ１１０が左右のクワエ金具１０９とガイドレール１３０との間にそれぞれ喰い込んでしまい、ロックダウン装置１１２が機能してコンペン装置１０６の上昇を妨げることになる。そのため、従来においては、ロックダウン装置１１２のばね１１４を緩めて両摩擦片１１３をガイドレール１３０から取り外し、その状態で、コンペンロープ１０５を締めてコンペン装置１０６を上昇させ、その後、ばね１１４によって両摩擦片１１３をガイドレール１３０に再び押し付けていた。すなわち、ロックダウン装置１１２が機能しないようにロックダウン装置１１２をガイドレール１３０から一旦取り外し、その状態でコンペンロープ１０５を締めてコンペン装置１０６を上昇させ、その後、ロックダウン装置１１２をガイドレール１３０に再び取り付ける必要があった。このように、ロックダウン装置１１２をガイドレール１３０から取り外さなければならないため、コンペン装置１０６の位置を再設定するための作業に時間と労力を要していた。特に、ロックダウン装置１１２は重く、また、エレベータの昇降路内は作業スペースも限られているため、ロックダウン装置１１２の取り付け及び取り外しを行うことは容易ではない。また、作業スペースによっては一人でロックダウン装置１１２の取り付け及び取り外しを行う必要がある。このように、コンペン装置１０６の位置を再設定するためにはロックダウン装置１１２を取り外す必要があり、また、ロックダウン装置１１２の取り付け及び取り外しも困難であるため、コンペン装置１０６の位置を再設定するための作業に時間と労力を要していた。また、主ロープ３を取り替える又は切り詰める場合にも、ロックダウン装置１１２が機能するのを防ぐためにロックダウン装置１１２を一旦取り外して作業を行う必要があるため、当該作業に時間と労力を要していた。以上のように、従来においては、コンペンシーブ１０７の上昇を伴う作業を行う場合、ロックダウン装置１１２が機能するのを防止するためにロックダウン装置１１２を一旦取り外して作業を行う必要があった。
【００１１】
上記の特許文献１に記載の装置は、ガイドレールに形成された凹凸部と揺動ストッパとの係止によってコンペン装置の上昇を抑制する装置であり、特許文献１には、コンペン装置の位置の再設定を容易にするための手段は開示されていない。また、特許文献２に記載の装置は、エレベータの停止信号を出力するスイッチをワイヤで復帰させるに過ぎず、特許文献２にも、コンペン装置の位置の再設定を容易にするための手段は開示されていない。
【００１２】
本発明の目的は、ロックダウン装置を取り外さなくても、コンペンシーブの上昇を伴う作業を行うことが可能なエレベータのコンペン装置及び連結装置を提供することである。
【課題を解決するための手段】
【００１３】
請求項１に係る発明は、主ロープを介して連結された釣瓶式に昇降する乗りかごと釣合い重りとの間に前記主ロープとの均衡を保つように垂れ下げられたコンペンロープの下部の折り返し部が巻き掛けられ、昇降路の床面に立設されたガイドレールに沿って上下移動可能に設置されたコンペンシーブと、前記コンペンシーブを回転自在に支持し、前記コンペンシーブとともに前記ガイドレールに沿って上下移動する支持枠と、前記支持枠に固定されて前記コンペンシーブ及び前記支持枠の上下移動を前記ガイドレールに沿って案内するガイドと、前記ガイドの下方に設置され、前記ガイドレールに摺接して前記コンペンシーブの上昇による力を受けて前記コンペンシーブの上昇を抑制するように動作するロックダウン装置と、前記ロックダウン装置と前記ガイドとを連結する連結装置と、を有し、前記連結装置は、前記ガイドの上部に設置される第１の固定部材と、前記ロックダウン装置に固定される第２の固定部材と、前記第１の固定部材と前記第２の固定部材とに固定されて前記第１の固定部材と前記第２の固定部材とを連結する連結部材と、を有し、前記第１の固定部材と前記第２の固定部材と前記連結部材とによって前記ロックダウン装置を前記ガイドに連結し、前記コンペンシーブ及び前記支持枠の上昇に伴って前記ロックダウン装置を上昇させる、ことを特徴とするエレベータのコンペン装置である。
【００１５】
また、請求項２に係る発明は、主ロープを介して連結された釣瓶式に昇降する乗りかごと釣合い重りとの間に前記主ロープとの均衡を保つように垂れ下げられたコンペンロープの下部の折り返し部が巻き掛けられ、昇降路の床面に立設されたガイドレールに沿って上下移動可能に設置されたコンペンシーブと、前記コンペンシーブを回転自在に支持し、前記コンペンシーブとともに前記ガイドレールに沿って上下移動する支持枠と、前記支持枠に固定されて前記コンペンシーブ及び前記支持枠の上下移動を前記ガイドレールに沿って案内するガイドと、前記ガイドの下方に設置され、前記ガイドレールに摺接して前記コンペンシーブの上昇による力を受けて前記コンペンシーブの上昇を抑制するように動作するロックダウン装置と、を有するエレベータのコンペン装置に取り付けられて前記ガイドと前記ロックダウン装置とを連結するための連結装置であって、前記ガイドの上部に設置される第１の固定部材と、前記ロックダウン装置に固定される第２の固定部材と、前記第１の固定部材と前記第２の固定部材とに固定されて前記第１の固定部材と前記第２の固定部材とを連結する連結部材と、を有し、前記第１の固定部材と前記第２の固定部材と前記連結部材とによって前記ロックダウン装置を前記ガイドに連結し、前記コンペンシーブ及び前記支持枠の上昇に伴って前記ロックダウン装置を上昇させる、ことを特徴とする連結装置である。
【発明の効果】
【００１６】
本発明によると、ロックダウン装置とガイドとを連結し、コンペンシーブ及び支持枠の上昇に伴ってロックダウン装置を上昇させることで、ロックダウン装置を取り外さなくても、ロックダウン装置を機能させずにコンペンシーブの上昇を伴う作業を行うことが可能となる。
【図面の簡単な説明】
【００１７】
【図１】本発明の実施形態に係るコンペン装置を備えたエレベータの全体構成を示す概略図である。
【図２】本発明の実施形態に係るコンペン装置を示す正面図である。
【図３】本発明の実施形態に係るコンペン装置を示す側面図である。
【図４】本発明の実施形態に係る連結装置を示す斜視図である。
【図５】本発明の実施形態に係るロックダウン装置及び連結装置を示す正面図である。
【図６】従来技術に係るエレベータの全体構成を示す概略図である。
【図７】従来技術に係るコンペン装置を示す正面図である。
【発明を実施するための形態】
【００１８】
図１に、本発明の実施形態に係るコンペン装置を備えたエレベータの全体構成を示す。エレベータは、昇降路の上方の図示しない機械室に設置された巻上機４を有し、この巻上機４に主ロープ３が巻き掛けられている。主ロープ３の一端に乗りかご１が連結され、乗りかご１が吊り下げ支持されている。主ロープ３の他端に釣合い重り２が連結され、釣合い重り２が吊り下げ支持されている。このように、乗りかご１と釣合い重り２とが主ロープ３を介して連結され、巻上機４の駆動により昇降路内を相対的に昇降する。
【００１９】
乗りかご１が昇降すると、巻上機４の乗りかご１側と釣合い重り２側との間で主ロープ３が行き来し、主ロープ３の重量の移動が生じる。移動した主ロープ３の重量分を補って不釣合を解消するために、一端が乗りかご１に連結され、他端が釣合い重り２に連結されて下方に垂れるコンペンロープ５が設けられている。このように、乗りかご１と釣合い重り２との間にコンペンロープ５を設けることで、重量の均衡を保っている。
【００２０】
エレベータの昇降路内にはコンペン装置１０が設けられている。コンペン装置１０は、昇降路内の床面６に立設して固定されたガイドレール４０を介して設けられている。コンペン装置１０は、乗りかご１又は釣合い重り２が非常停止等によって跳ね上がることを防止するための装置である。コンペンロープ５の下端の折り返し部は、コンペン装置１０に設けられたコンペンシーブ１１に巻き掛けられ、コンペンシーブ１１により所定の張力が付与される。コンペン装置１０は、ガイドレール４０に沿って上下移動自在に案内される。コンペンロープ５の揺れ等はコンペン装置１０の上下移動により吸収され、コンペンロープ５に過度の張力が作用されることが防止される。
【００２１】
コンペン装置１０は、エレベータの長期運転により主ロープ３やコンペンロープ５の経時変化に伴う伸びがあっても、その伸びを吸収してコンペンロープ５に張力を与えるように、ガイドレール４０に対して下方に移動可能に支持されている。また、乗りかご１又は釣合い重り２の跳ね上がりを抑制するために、コンペンロープ５が引っ張られてコンペン装置１０が引き上げられた場合、コンペン装置１０は、ある程度上昇した位置でガイドレール４０に対して係止して停止する機能を有する。すなわち、コンペン装置１０は、主ロープ３やコンペンロープ５の経時的な伸びに伴い下方に移動しながら一定の張力をコンペンロープ５に与えるとともに、乗りかご１又は釣合い重り２の跳ね上がりが発生した場合、ガイドレール４０に係止して跳ね上がりを防止する機能を有する。
【００２２】
図２及び図３に本実施形態に係るコンペン装置１０を示す。コンペン装置１０は、コンペンシーブ１１と、支持枠１２と、一対のクワエ金具１３と、一対の喰い込みローラ１４と、一対の支持バー１５と、一対の摩擦片１７及び一対のばね１８によって構成されるロックダウン装置１６と、一対の調整ボルト１９と、上部ガイド２０と、下部ガイド２１とを備えている。
【００２３】
支持枠１２はコンペンシーブ１１を回転自在に支持し、コンペンシーブ１１とともにガイドレール４０に沿って上下移動する。この支持枠１２には、左右一対のクワエ金具１３が固定されている。左右それぞれのクワエ金具１３の斜面部とガイドレール４０との間には喰い込みローラ１４（コロ）がそれぞれ配置されている。各喰い込みローラ１４は、支持バー１５の下端部によってそれぞれ支持されている。各支持バー１５の上端部は、ガイドレール４０の左右に摺接する一対の摩擦片１７に連結されている。両摩擦片１７のそれぞれは、ばね１８によってガイドレール４０に押し付けられている。両摩擦片１７のそれぞれの上部には、調整ボルト１９が固定されている。また、支持枠１２の上部に上部ガイド２０が固定され、支持枠１２の下部に下部ガイド２１が固定されている。上部ガイド２０及び下部ガイド２１は、コンペンシーブ１１及び支持枠１２の上下移動をガイドレール４０に沿って案内する。
【００２４】
そして、乗りかご１又は釣合い重り２の跳ね上がりによりコンペンシーブ１１が引き上げられると、左右の摩擦片１７のガイドレール４０に対する摩擦力によって、支持バー１５を介して左右の喰い込みローラ１４を左右のクワエ金具１３とガイドレール４０との間にそれぞれ喰い込ませ、コンペンシーブ１１の上昇を止めることで、乗りかご１又は釣合い重り２の跳ね上がりを抑制する。すなわち、ロックダウン装置１６はガイドレール４０に摺接し、コンペンシーブ１１の上昇による力を喰い込みローラ１４と支持バー１５とを介して受けてコンペンシーブ１１の上昇を抑制するように動作する。
【００２５】
また、コンペンロープ５や主ロープ３を締めてコンペンシーブ１１を上昇させる場合、連結装置３０によって、ロックダウン装置１６と上部ガイド２０とが連結される。図４及び図５に連結装置３０を示す。連結装置３０は、上部ガイド２０の上部に設置される板状の固定部材３１と、ロックダウン装置１６の上部に固定される板状の一対の固定部材３２と、固定部材３１と固定部材３２とに固定されて固定部材３１と固定部材３２とを連結する一対のボルト３３（連結部材）と、ボルト３３を固定部材３１に固定するナット３４と、ボルト３３を固定部材３２に固定するナット３５とによって構成されている。固定部材３１の中央の側面には、固定部材３１を上部ガイド２０に設置したときにガイドレール４０を囲む切り欠き状の溝３１ａが形成されている。また、固定部材３１の両端部の近傍にはボルト３３を通すための貫通孔３１ｂが形成されている。一対の固定部材３２のそれぞれの側面には、固定部材３２をロックダウン装置１６の上部に設置したときに調整ボルト１９を囲む切り欠き状の溝３２ａが形成されている。また、一対の固定部材３２のそれぞれには、ボルト３３を通すための貫通孔３２ｂが形成されている。なお、固定部材３１が第１の固定部材の一例に相当し、固定部材３２が第２の固定部材の一例に相当し、ボルト３３が連結部材の一例に相当する。
【００２６】
そして、図５に示すように、溝３１ａにガイドレール４０を嵌め込んだ状態で固定部材３１を上部ガイド２０の上部に載せる。また、一対の固定部材３２のそれぞれを、一対の摩擦片１７のそれぞれの上部に載せる。このとき、一対の固定部材３２のそれぞれの溝３２ａを向かい合わせた状態で各溝３２ａに各調整ボルト１９を嵌め込み、各調整ボルト１９を締め付けることで各調整ボルト１９によって各固定部材３２を各摩擦片１７の上部に固定する。そして、固定部材３１の各貫通孔３１ｂにボルト３３を通し、固定部材３１の上下方向から対になるナット３４によって締め付けることで、ボルト３３を固定部材３１に固定する。同様に、固定部材３２の各貫通孔３２ｂにボルト３３を通し、固定部材３２の上下方向から対になるナット３５によって締め付けることで、ボルト３３を固定部材３２に固定する。このように、固定部材３１が上部ガイド２０の上部に設置され、固定部材３２が各摩擦片１７の上部に固定され、固定部材３１と固定部材３２とが２つのボルト３３によって連結される。これにより、ボルト３３を介してロックダウン装置１６が上部ガイド２０に固定される。上部ガイド２０はコンペン装置１０の支持枠１２に固定されているため、連結装置３０によってロックダウン装置１６を上部ガイド２０に固定することで、ロックダウン装置１６は支持枠１２に固定される。
【００２７】
以上のように、連結装置３０によってロックダウン装置１６を支持枠１２に固定することで、コンペン装置１０の動きに合わせてロックダウン装置１６を動かすことができる。例えば、コンペンロープ５や主ロープ３を締めてコンペンシーブ１１を支持枠１２とともに上昇させた場合、ロックダウン装置１６は連結装置３０及び上部ガイド２０を介して支持枠１２に固定されているため、支持枠１２の上昇に伴ってロックダウン装置１６も上昇する。すなわち、固定部材３１が上部ガイド２０の上部に設置され、固定部材３２が各摩擦片１７の上部に固定され、固定部材３１と固定部材３２とがボルト３３によって連結されているため、コンペン装置１０の上昇に合わせてロックダウン装置１６を上昇させることができる。具体的には、支持枠１２の上昇とともに上部ガイド２０が上昇し、上部ガイド２０の上部には固定部材３１が設置されているため、上部ガイド２０の上昇に伴って固定部材３１も上昇する。固定部材３１にはボルト３３を介して固定部材３２が連結されており、固定部材３２はロックダウン装置１６の摩擦片１７に固定されているため、固定部材３１の上昇に伴って固定部材３２も上昇し、固定部材３２に固定されているロックダウン装置１６も上昇する。
【００２８】
このように、コンペンシーブ１１を上昇させたときにロックダウン装置１６も上昇するため、コンペンシーブ１１が上昇しても左右の食い込みローラ１４が左右のクワエ金具１３とガイドレール４０との間に喰い込まない。そのため、ロックダウン装置１６は機能せず、コンペンシーブ１１の上昇を妨げることがない。これにより、ロックダウン装置１６をガイドレール４０から取り外さずに、コンペンロープ５や主ロープ３を締めてコンペンシーブ１１を上昇させることができる。すなわち、ロックダウン装置１６のばね１８を緩めて両摩擦片１７をガイドレール４０から取り外さなくても、コンペンシーブ１１と一緒にロックダウン装置１６が移動するため、コンペンロープ５や主ロープ３を締めてコンペンシーブ１１を上昇させることができる。このように、ロックダウン装置１６をガイドレール４０から取り外さなくてもコンペン装置１０の位置を再設定することができるため、当該再設定の作業に要する時間と労力を削減することができる。
【００２９】
また、主ロープ３を取り替える又は切り詰める場合も、連結装置３０によってロックダウン装置１６を上部ガイド２０に連結することでコンペンシーブ１１の上昇に伴ってロックダウン装置１６も上昇するため、ロックダウン装置１６を取り外さなくても、主ロープ３の取り替え又は切り詰めを行うことができる。そのため、当該作業に要する時間と労力を削減することができる。
【符号の説明】
【００３０】
１  乗りかご、２  釣合い重り、３  主ロープ、４  巻上機、５  コンペンロープ、６  床面、１０  コンペン装置、１１  コンペンシーブ、１２  支持枠、１３  クワエ金具、１４  喰い込みローラ、１５  支持バー、１６  ロックダウン装置、１７  摩擦片、１８  ばね、１９  調整ボルト、２０  上部ガイド、２１  下部ガイド、３０  連結装置、３１，３２  固定部材、３１ａ，３２ａ  溝、３１ｂ，３２ｂ  貫通孔、３３  ボルト、３４，３５  ナット、４０  ガイドレール。
【図１】
0005756037.tif 000002
【図２】
0005756037.tif 000003
【図３】
0005756037.tif 000004
【図４】
0005756037.tif 000005
【図５】
0005756037.tif 000006
【図６】
0005756037.tif 000007
【図７】
0005756037.tif 000008